(57)【要約】
【課題】表裏両面が読取/書込み記録媒体で、両面に異なるフォーマットのメモリを記録する両面ＤＶＤ構造を提供する。
【解決手段】両面ＤＶＤ構造は、ＤＶＤ表裏面が読取/書込みフォーマットの記録媒体で、このＤＶＤは上層２、下層３に分けられる。そのうち、上層と下層の間には接着層１０が設置され、この接着層上方には保護層２１が設置され、また保護層上方には反射層２２が設置され、また反射層上方には染料層２３が設置される。他にこの接着層下方には保護層３１が設置され、この保護層下方には反射層３２が設置され、その反射層下方には染料層３３が設置される。
【選択図】図２
0003100694.tif 000002
【実用新案登録請求の範囲】
【請求項１】
ＤＶＤ表裏両面に読取/書込み可能なフォーマットの記録媒体であって、このＤＶＤは上下層に分けられ、そのうち、この上層と下層の間には接着層が設置され、その接着層上には保護層が設置され、またその保護層上には反射層が設置され、その反射層上には染料層が設置され、また、接着層下方には保護層が設置され、その保護層下方には反射層が設置され、更に反射層下方には染料層が設置され、上層と下層の表裏面上は読取/書込み可能な記録フォーマットからなり  両面にコンテンツに応じた異なるデータフォーマットによる記録を可能としたことを特徴とする両面ＤＶＤ構造。
【請求項２】
前記ＤＶＤは、上層に設ける読取/書込み記録フォーマットは映像フォーマットデータを保存し、下層に設ける読取/書込み記録フォーマットも映像フォーマットデータを保存することを特徴とする請求項１記載の両面ＤＶＤ構造。
【請求項３】
前記ＤＶＤは、上層に設ける読取/書込み記録フォーマットは文字フォーマットデータを保存し、下層に設ける読取/書込み記録フォーマットも文字フォーマットデータを保存することを特徴とする請求項１記載の両面ＤＶＤ構造。
【請求項４】
前記ＤＶＤは、上層に設ける読取のみの記録フォーマットは、文字及び映像フォーマットデータを保存し、下層に設ける読取/書込み記録フォーマットも文字及び映像フォーマットデータを保存することを特徴とする請求項１記載の両面ＤＶＤ構造。
【請求項５】
前記ＤＶＤは、上下層の少なくとも一層以上の読取/書込み層がＤＶＤ両表面のデータ記録面を構成することを特徴とする請求項１記載の両面ＤＶＤ構造。
【請求項６】
前記ＤＶＤは、上層に設ける読取/書込み記録フォーマットが文字及び映像フォーマットデータを保存し、下層はポリカーボネート以外の材質層とすることを特徴とする請求項１記載の両面ＤＶＤ構造。
【考案の詳細な説明】
【技術分野】
【０００１】
本考案は、両面ＤＶＤ構造に関するものである。
【背景技術】
【０００２】
図１に示すとおり、目下使用されている片面ＤＶＤは、ＣＤの製造工程と似ており、先ず成形機の金型上にオリジナルディスクを設置し、射出成型などの工程によって透明な樹脂基板を製造する。続いて真空蒸着メッキ等の工程を経て、樹脂基板の記録面にアルミ等の金属反射膜を形成し、続いて上面に接着剤を塗布し、別の基板を接着し、一枚のＤＶＤにする。最後にラベルを貼り付け、包装して完成する。
【０００３】
ＣＤ，  ＬＤは、研磨済、洗浄済のグラスオリジナルディスクに、フォトレジストを塗布し、ＬＢＲ(Laser Beam Recorder)により、レーザーで露光し、信号を刻み込む。ＬＢＲの信号入力は媒体フォーマットが出力した信号とする。また刻み込みしたオリジナルディスクは、現像、スパッター(Spattering)後、電気伝導方式でスタンパー(Stamper)を製造する。
【０００４】
ＤＶＤの原文は、「Digital Versatile Disc」で、「デジタル多機能ディスク」と訳す。これは現在のＤＶＤディスクが発展してできたもので、サイズ大きさも同じであるが、デジタル記録スポットの縮小、及び記録方式の改善によって、保存できるコンテンツが増加し、同じく音楽、ビデオ、及び一般のパソコンファイルデータ等各種タイプのデジタルデータを保存する。この他、発展初期、ＤＶＤは、「Digital Video Disc」と呼ばれ、「デジタルビデオディスク」と訳された。しかし、今日では「Digital Versatile Disc」で、「デジタル多機能ディスク」と訳すのが、ＤＶＤの正式名称である。
【０００５】
保存したビデオにはＭＰＥＧ２等級のデジタル圧縮技術が採用され、品質はＬＤ、ＶＨＳ、ＶＣＤを超える。保存した音声はドルビー（登録商標）ＡＣ−３等級の立体音響技術を採用する。
【０００６】
片面ＤＶＤは、一部上述の二つのコンテンツ（ビデオ及び音声）を含む完全な高品質映画（１３５分以上）の保存ができる。
【０００７】
上述の条件に適合するため、片面ＤＶＤの容量は少なくとも４．７ＧＢとし、この容量は今日一般的なＣＤの７倍に相当し、サイズは現在のＣＤと同じ（直径１２ｃｍ、厚み１．２ｍｍ）で、互換性を具え、またＤＶＤプレイヤーは現在の各種ＣＤを読み取ることができることが必要である。
【０００８】
ＤＶＤ容量タイプ：片面再生一層：片面上にだけしかデータを記録させることがでず、容量は４．７ＧＢである。
片面再生二層：片面上にのみしかデータを記録させることができないが、データスポットを再利用して二層記録を行う。このＤＶＤの要領は８．５ＧＢである。
【考案の開示】
【考案が解決しようとする課題】
【０００９】
解決しようとする問題点は、片面読取のみのフォーマットの記録媒体では片面記録しかできず、両面記録はできない。更にデータを読み取るだけで、書き込みができない。そのため、メモリの容量を増大することができず、制限を受ける点である。
【課題を解決するための手段】
【００１０】
本考案は、ＤＶＤ表裏面が読取/書込みフォーマットの記録媒体で、このＤＶＤは上層、下層に分けられる。そのうち、上層と下層の間には接着層が設置され、この接着層上方には保護層が設置され、また保護層上方には反射層が設置され、また反射層上方には染料層が設置される。他にこの接着層下方には保護層が設置され、この保護層下方には反射層が設置され、その反射層下方には染料層が設置されることを最も主要な特徴とする。
【考案の効果】
【００１１】
本考案の両面ＤＶＤ構造は、下述の利点がある。
一つは、両面記録により、一枚のＤＶＤに二枚分のＤＶＤ基板容量を具える。二つ目は、単層及び二層読取、書込み機能がある。三つ目は、現在あるCD−ROMディスク（約６５０ＭＢ）を遥かに超え、ハード容量（約２ＧＢから４ＧＢ）をも超える。最後に、両面に読取/書込みフォーマット記録媒体があることである。
【考案を実施するための最良の形態】
【００１２】
上層及び下層の裏面、表面上が読取/書込み記録媒体によって、両面に異なるフォーマットのメモリを記録するという目的を実現した。
【実施例１】
【００１３】
図２，図３及び図４に示すとおり、本考案は、両面ＤＶＤ構造で、ＤＶＤ１の裏表両表面が読取/書込みフォーマット可能な記録媒体であり、このＤＶＤ１は上層２、下層３に分けられる。そのうち、上層２と下層３の間には接着層１０が設置され、この接着層１０上方には保護層２１を設置してもよく、設置しなくてもよい。またこの保護層２１上に反射層２２を設置し、その反射層２２上方には染料層２３が設置される。他に接着層１０下方は保護層３１が設置されても、されなくてもよい。また保護層３１下方には反射層３２が設置され、反射層３２下方には染料層３３が設置される。上層２と下層３の裏表面上はデータを記録でき、両面共に読取/書込が少なくとも一層以上形成される。ＤＶＤ両表面のメモリデータの容量は約９．４ＧＢとする。
【００１４】
図５に示すとおり、本考案の製造工程は、前製造工程４→オリジナルディスク工程４１→射出成型工程４２→噴射（蒸着）メッキ工程４３→接着工程４４→プリント工程４５→検査工程４６である。
【００１５】
そのうち、接着工程を変えることにより、異なるＤＶＤフォーマットの製品が生産され、熱融解ゴムもしくはＵＶ硬化ゴム等あらゆる接着方法において、両面０．６ｍｍ厚みのＤＶＤ
−Ｒ、もしくはＲ/Ｗ半製品、もしくは一面０．６ｍｍ厚みのＤＶＤ−ＲもしくはＲ/Ｗ半製
品及び一面ＤＶＤ−５、もしくはＤＶＤ−９半製品が接着工程を経て作られる。
【００１６】
熱融解ゴムによる接着技術は、熱融解ゴムを加熱して融解したのち、塗布方式によって、熱融解ゴムをＤＶＤの背面に塗布し、更に両面０．６ｍｍ厚みのＤＶＤを貼り合わせ、冷却後
に二片０．６ｍｍの基板を貼り合わせる。
【００１７】
そのうち、紫外線硬化樹脂の貼りあわせは、紫外線硬化樹脂をＤＶＤ基板に塗布し、二片の０．６ｍｍ厚みのＤＶＤ基板を貼り合わせ、紫外線を照射して紫外線硬化樹脂を固化して接
着する。
【００１８】
或いは、前述のＤＶＤ１上層２に設置した読取/書込メモリフォーマットは、文字及び映像フォーマットデータを保存し、下層３にはポリカーボネート以外の材質からなる基板を設置する。
【産業上の利用可能性】
【００１９】
ＤＶＤ−Ｒは一度だけ書込み可能で多数回読取タイプとし、且つＤＶＤ−ＶＩＤＥＯ、ＤＶＤ−ＡＵＤＩＯ，ＤＶＤ−ＲＯＭと互換性があり、ＤＶＤ製造コストは、ＣＤと変わらない。最新の２．０規格容量は４．７ＧＢで、ＤＡＯもＤＶＤ−Ｒのキーポイントで最も高密度を要求する読み書きヘッドに分けて書き込むことができる。ＤＶＤ−Ｒのスポットは０．７４μｍで、これはＣＤ−Ｒの半分である。また最短信号は僅かに０．２９３μｍで、これはＣＤ−Ｒの約三分の一に当たる。またＤＶＤ−Ｒは有機色膜であるため、紫色に見え、６３５ｎｍもしくは６５０ｎｍのレーザー光が吸収される。
【図面の簡単な説明】
【００２０】
【図１】公知の片面ＤＶＤ構造図である。
【図２】本考案の両面ＤＶＤ構造図である。
【図３】本考案の貼り合せ構造図である。
【図４】本考案の両面細部構造図である。
【図５】本考案の組立実施図である。
【符号の説明】
【００２１】
１        ＤＶＤ
２        上層
３        下層
１０        接着層
２１        保護層
２２        反射層
２３        染料層
３１        保護層
３２        反射層
３３        染料層
４        前製造工程
４１        オリジナルディスク工程
４２        射出成型工程
４３        噴射メッキ工程
４４        接着工程
４５        プリント工程
４６        検査工程
【図１】
0003100694.tif 000003
【図２】
0003100694.tif 000004
【図３】
0003100694.tif 000005
【図４】
0003100694.tif 000006
【図５】
0003100694.tif 000007